(57)【要約】【課題】円周方向において連続した光照射が可能で、回転灯としての機能・仕様を十分に満たすことができ、部品点数も少なくて済み、比較的に製作も簡単で安価に製作することができる散光式警告灯を提供する。【解決手段】円筒状をなし透明な周壁部１８を有するケーシング１０と、プリント基板２６およびプリント基板に実装された発光ダイオード２８からなる筒状ＬＥＤユニット１２とを備えて警告灯を構成した。プリント基板２６を帯状・シート状に形成し、プリント基板の片側全面に分散して多数個の発光ダイオード２８を配列し、発光ダイオードがケーシング１０の透明周壁部１８内面と対向しかつ近接するように、プリント基板１８を円筒状に湾曲させてケーシング内に配設した。筒状ＬＥＤユニット１２の多数個の発光ダイオード２８が円周方向において経時的に順次点灯・消灯するように制御回路で制御する。【選択図】図１
0003196187.tif 000002
【実用新案登録請求の範囲】
【請求項１】
周方向において順次光の放射方向を変化させて周囲に光照射する散光式警告灯において、
有底の円筒状もしくは楕円筒状をなし、周壁部が透明材料で形成されたケーシングと、
このケーシングに、その透明の周壁部内面と対向するように固設された支持部材と、
帯状に形成されたシート状のプリント基板、および、このプリント基板の片側全面に分散して配列され多数個実装された発光ダイオードからなり、前記プリント基板を、前記発光ダイオードの実装面側が外向きとなるようにし前記ケーシングの透明周壁部に沿わせて円筒状もしくは楕円筒状に湾曲させ、前記多数個の発光ダイオードがケーシングの透明周壁部内面と対向しかつ近接するように、前記支持部材に支持されて配設された筒状ＬＥＤユニットと、
この筒状ＬＥＤユニットの前記発光ダイオードに電力を供給する電源装置と、
前記多数個の発光ダイオードを円周方向において経時的に順次点灯・消灯させるように制御する制御部と、
を備えたことを特徴とする散光式警告灯。
【考案の詳細な説明】
【技術分野】
【０００１】
この考案は、警察車両、消防車両、救急車両等の緊急車両や道路工事車両の屋根に搭載されて車両の存在を周囲の車両や通行人に知らせたり、道路工事現場、駐車場の出入り口、工場等の危険場所に設置されて注意を喚起したりするために使用される散光式警告灯に関する。
【背景技術】
【０００２】
この種の散光式警告灯としては、赤色や黄色などに着色された透明のグローブ内に光源と回転可能な反射鏡を配設し、光源を点灯させた状態で反射鏡をモータによって光源の周りに回転させることにより、光源から照射され反射鏡で反射された光を着色透明グローブを透過させて四方へ拡散させ、見掛け上旋回しているように光照射する回転灯が最も一般的に使用されている。また、多数個の発光ダイオード（ＬＥＤ）を使用した散光式警告灯も種々提案されている。例えば、透明な窓を備えた筒体の内部に、窓に隣接して複数組の発光ダイオード群を周設し、各発光ダイオード群のリード端子群をそれぞれ設置基板に固着した構成を有し、１組目の発光ダイオード群へ信号を入力して発光ダイオードを点灯させ、１組目の発光ダイオード群からライトを周囲に放射し、続いて、１組目の発光ダイオード群への信号を断ち、次の２組目の発光ダイオード群へ信号を入力して発光ダイオードを点灯させ、２組目の発光ダイオード群からライトを周囲に放射し、これを順次繰り返して複数組の発光ダイオード群を周方向に順次発光させることにより、恰もライトが回転するように動作させるようにした回転灯が提案されている（例えば、特許文献１参照。）。
【先行技術文献】
【特許文献】
【０００３】
【特許文献１】登録実用新案第３００６１６４号公報（第４−６頁、図１、図２）
【考案の概要】
【考案が解決しようとする課題】
【０００４】
特許文献１に開示されたような発光ダイオードで構成した回転灯では、平板矩形状の基板に発光ダイオードが実装されているので、発光ダイオード群から放射される光は、その視野角内において直線的に照射される。したがって、複数組の発光ダイオード群を、その外向きの角度を変えながら円周方向に並列させ、発光ダイオード群ごと（基板ごと）に点灯・消灯を行う構成となるので、基板ごとに電源線や信号線が必要となる。このため、構成部品の数が多くなって、製作コストが高くなり、また、機器全体の重量も重くなる。この場合において、発光ダイオードが実装される基板の枚数が少ないと、周囲への光照射が円周方向において不連続となり、回転灯としての機能・仕様が十分に満たされなくなる。一方、より滑らかな旋回光とするために基板の枚数を多くすると、部品点数がより多くなる、といった問題点がある。
【０００５】
この考案は、以上のような事情に鑑みてなされたものであり、発光ダイオードを用いた回転灯であって、円周方向において連続した光照射が可能で、回転灯としての機能・仕様を十分に満たすことができ、部品点数も少なくて済み、比較的に製作も簡単で安価に製作することができる散光式警告灯を提供することを目的とする。
【課題を解決するための手段】
【０００６】
この考案では、筒状に曲げることができる程度の厚みを有するプリント基板に多数個の発光ダイオード（以下、「ＬＥＤ」という）を実装し、これを散光式警告灯の光源ユニットとすることにより、上記目的を達成した。すなわち、請求項１に係る考案は、有底の円筒状もしくは楕円筒状をなし、周壁部が透明材料で形成されたケーシングと、このケーシングに、その透明の周壁部内面と対向するように固設された支持部材と、帯状に形成されたシート状のプリント基板、および、このプリント基板の片側全面に分散して配列され多数個実装されたＬＥＤからなり、前記プリント基板を、前記ＬＥＤの実装面側が外向きとなるようにし前記ケーシングの透明周壁部に沿わせて円筒状もしくは楕円筒状に湾曲させ、前記多数個のＬＥＤがケーシングの透明周壁部内面と対向しかつ近接するように、前記支持部材に支持されて配設された筒状ＬＥＤユニットと、この筒状ＬＥＤユニットの前記ＬＥＤに電力を供給する電源装置と、前記多数個のＬＥＤを円周方向において経時的に順次点灯・消灯させるように制御する制御部とを備えて散光式警告灯を構成したことを特徴とする。
【考案の効果】
【０００７】
請求項１に係る考案の散光式警告灯においては、多数個のＬＥＤが円筒状もしくは楕円筒状のプリント基板の全面に分散して配列され実装されているので、多数個のＬＥＤを円周方向において経時的に順次点灯・消灯させるように電源装置からＬＥＤに電力を供給することにより、筒状ＬＥＤユニットのＬＥＤからの光がケーシングの透明周壁部を透過して周囲へ、円周方向において連続的して照射されることとなる。したがって、この散光式警告灯は、回転灯としての機能・仕様を十分に満たすことができる。そして、帯状に形成されたシート状のプリント基板に多数個のＬＥＤが実装されて光源ユニットが形成されるので、この散光式警告灯は、部品点数が少なくて済み、比較的に製作も簡単で安価に製作することができる。
【図面の簡単な説明】
【０００８】
【図１】この考案の実施形態の１例を示し、散光式警告灯を、その一部を断面で表した外形正面図である。
【図２】図１に示した散光式警告灯の外形平面図である。
【図３】図１に示した散光式警告灯の構成要素の１つである筒状ＬＥＤユニットの斜視図である。
【図４】図３に示した筒状ＬＥＤユニットの展開図である。
【考案を実施するための形態】
【０００９】
以下、この考案の最良の実施形態について図面を参照しながら説明する。
図１および図２に示すように、この散光式警告灯は、円筒形のケーシング１０、および、このケーシング１０内に設置された筒状ＬＥＤユニット１２を備えて構成されている。なお、ケーシング１０および筒状ＬＥＤユニット１２は、図示例ではそれぞれ円筒形に形成されているが、それぞれ楕円筒形であってもよい。
【００１０】
ケーシング１０は、円形状の天板部１４、円形状の底板部１６および円筒状の周壁部１８から形成され、それらで密閉された筐体からなる。天板部１４の上面には、ハンドル２０が固着されている。周壁部１８は、無色透明の材料、例えば透明プラスチック材で形成されている。ケーシング１０の内部には、その透明周壁部１８の内面と対向するように４本の棒状の支持部材２２が配置され、各支持部材２２の上・下両端部が天板部１４および底板部１６にそれぞれボルト２４で固着されている。
【００１１】
筒状ＬＥＤユニット１２は、図３および図４に示すように、プリント基板２６に多数個のＬＥＤ２８を実装して構成されている。プリント基板２６は、帯状に形成されたシート状をなし、厚みが例えば１．６ｍｍ〜０．３ｍｍであって、筒状に曲げることが可能である。ＬＥＤ２８は、その素子の大きさが例えば５ｍｍφであり、プリント基板２６に貫通させ実装される。そして、多数個のＬＥＤ２８がプリント基板２６の片側全面に分散して配列される。図示していないが、電流制限抵抗はチップタイプ部品とし、それをプリント基板２６に実装する。ＬＥＤ２８の色は、警告灯の目的に応じて選定され、例えば全てのＬＥＤ２８を赤色ＬＥＤもしくは緑色ＬＥＤとする。あるいは、赤色ＬＥＤと緑色ＬＥＤとを二次元的に交互に配置して、筒状ＬＥＤユニット１２から照射される光が黄色に見えるようにしてもよい。そして、多数個のＬＥＤ２８が実装された帯状のプリント基板２６を、ＬＥＤ２８の実装面側が外向きとなるようにしケーシング１０の透明周壁部１８に沿わせて円筒状に湾曲させた状態で支持部材２２に支持させ、多数個のＬＥＤ２８が透明周壁部１８の内面と対向しかつ近接するように配置される。
【００１２】
筒状ＬＥＤユニット１２の光照射動作を制御する制御回路は、プリント基板２６とは別の基板に形成され、筒状ＬＥＤユニット１２に信号線３０を介して制御回路基板３２が接続されている。また、図示していないが、ケーシング１０の内部には、ＬＥＤ２８へ電力を供給するためのバッテリが内蔵されており、この散光式警告灯は、屋外での持ち運びが可能となっている。なお、電源装置として外部バッテリを使用するようにしてもよい。そして、制御回路によりバッテリからＬＥＤ２８への電力供給が制御されることにより、筒状ＬＥＤユニット１２の多数個のＬＥＤ２８が円周方向において経時的に順次点灯・消灯し、ケーシング１０の透明周壁部１８を透過して周囲へ光照射され、回転灯として動作する。
【産業上の利用可能性】
【００１３】
この考案は、警察車両、消防車両、救急車両等の緊急車両や道路工事車両の屋根に搭載されたり道路工事現場、駐車場の出入り口、工場等の危険場所に設置されたりして使用される回転灯に関連した産業分野において利用される。
【符号の説明】
【００１４】
１０  ケーシング
１２  筒状ＬＥＤユニット
１４  ケーシングの天板部
１６  ケーシングの底板部
１８  ケーシングの透明な周壁部
２２  支持部材
２６  プリント基板
２８  発光ダイオード（ＬＥＤ）
３０  信号線
３２  制御回路基板
【図１】
0003196187.tif 000003
【図２】
0003196187.tif 000004
【図３】
0003196187.tif 000005
【図４】
0003196187.tif 000006